(57)【要約】【課題】  幼児用ティーシャツの襟ぐりから衣服用ハンガーを脱着容易にする。【解決手段】  衣服用ハンガーにおいて、衣服用ハンガー中央のフックから一方に伸びる外管を左肩の位置まで伸ばし、フックから他方に伸びる外管は、外管内に出し入れ自在に装着する内管が左右移動するために必要最小限の距離にして、外管内設けるバネ取付け軸の一端には先割れフックが形成され他端はスプリング軸ベース形状に成っていて、外管内にスプリング軸ベースを装着して、バネ取付け軸にバネを装着して、先割れフックをバネ取付け軸留に形成された穴を貫通させ、先割れフックに留ワッシャーを装着して、外管下部に外管下カバーを設け内管に内管フックと内管フック解除ボタンを形成して、外管に内管フックを係止するための内管フックホールを設ける。【選択図】  図１
2016013211.tif 000002
【特許請求の範囲】
【請求項１】
衣服用ハンガーにおいて、外管内にスプリング軸とスプリングと内管を挿入して、外管と内管の幅を縮め、縮めた状態を保持する機能が形成されている事を特徴とする衣服用ハンガー。
【請求項２】
前記衣服用ハンガー中央のフックから一方に伸びる外管を左肩の位置まで伸ばし、フックから他方に伸びる外管は、外管内に出し入れ自在に装着する内管が左右移動するために必要最小限の距離にして、内管内側に貫通する穴を有するバネ取付け軸留を形成して、外管内に設けるバネ取付け軸の一端には先割れフックが形成され他端はスプリング軸ベース形状に成っていて、外管端の外管内にスプリング軸ベースを装着しバネ取付け軸にバネを装着して、先割れフックをバネ取付け軸留に形成された穴を貫通させ、先割れフックに留ワッシャーを装着して、外管下部に外管下カバーを設け、外管と内管の幅を縮め、縮めた状態を保持する機能は、内管に内管フックと内管フック解除ボタンを形成して、外管に内管フックを係止するための内管フックホールを設ける事を特徴とする請求項１に記載の衣服用ハンガー。
【発明の詳細な説明】
【技術分野】
【０００１】
この発明は衣服用ハンガーであって、狭い衿ぐりから衣服用ハンガーを容易に出し入れすることが出来る衣服用ハンガー関する。
【背景技術】
【０００２】
従来狭い衿ぐりから出し入れするための衣服用ハンガーは、上下に長く折りたたむ、又は、左右から中心に寄せて肩幅を狭くするものが見られた。
【先行技術文献】
【特許文献】
【０００３】
【特許文献１】特開平８−４３６
【特許文献２】特開２０１０−２２８１８
【０００４】
特許文献１と、特許文献２は、本考案と同じ分野と思われるが、衣服内にハンガーを入れた後にハンガーの幅を両手で左右に広げていた。
【発明の概要】
【０００５】
外管内にスプリング軸とスプリングと内管を挿入して、外管と内管の幅を縮め、縮めた状態を保持する機能を待たせる。
【発明が解決しようとする課題】
【０００６】
特許文献１と、特許文献２は、本考案と同じ分野と思われるが、濡れた衣服内にハンガーを入れた後にハンガーの幅を左右に広げることが容易にできない解決すべき問題がある。  
【課題を解決するための手段】
【０００７】
本願発明の請求項１は、衣服用ハンガーにおいて、外管内にスプリング軸とスプリングと内管を挿入して、外管と内管の幅を縮め、縮めた状態を保持する機能が形成されている衣服用ハンガー。
【０００８】
請求項２は、前記衣服用ハンガー中央のフックから一方に伸びる外管を左肩の位置まで伸ばし、フックから他方に伸びる外管は、外管内に出し入れ自在に装着する内管が左右移動するために必要最小限の距離にして、内管内側に貫通する穴を有するバネ取付け軸留を形成して、外管内に設けるバネ取付け軸の一端には先割れフックが形成され他端はスプリング軸ベース形状に成っていて、外管端の外管内にスプリング軸ベースを装着しバネ取付け軸にバネを装着して、先割れフックをバネ取付け軸留に形成された穴を貫通させ、先割れフックに留ワッシャーを装着して、外管下部に外管下カバーを設け、外管と内管の幅を縮め、縮めた状態を保持する機能は、内管に内管フックと内管フック解除ボタンを形成して、外管に内管フックを係止するための内管フックホールが設けられた衣服用ハンガー。
【０００９】
衣服用ハンガーにおいて、衣服用ハンガー中央のフックから一方に伸びる外管を左肩の位置まで伸ばし、外管端は丸く成っていて、フックから他方に伸びる外管は、外管内に出し入れ自在に装着する内管が左右移動するために必要最小限の距離にする。
【００１０】
内管内側に貫通する穴を有するバネ取付け軸留を形成して、内管の一端は丸い右肩形状を成していて、外管内設けるバネ取付け軸の一端には先割れフックが形成され他端はスプリング軸ベース形状に成っていて、丸く成った外管端の外管内にスプリング軸ベースを装着して、バネ取付け軸にバネを装着して、先割れフックをバネ取付け軸留に形成された穴を貫通させ、先割れフックに留ワッシャーを装着して、外管下部に外管下カバーを設ける。
【００１１】
内管に２本の切り込みを設け、２本の切り込み間に内管フックと内管フック解除ボタンを形成して、外管に内管フックを係止するための内管フックホールを設ける。
【発明の効果】
【００１２】
以下図面に基づき説明する。
【００１３】
衣服用ハンガー(１)において、衣服用ハンガー(１)中央のフック(２)から一方に伸びる外管(３)を左肩(４)の位置まで伸ばし、フック(２)から他方に伸びる外管(３)は、外管(３)内に出し入れ自在に装着する内管(５)が左右移動するために必要最小限の距離にすることにおいて、外管(３)に装着するフック(２)の付け根部分から内管(５)の右肩(７)の分部の距離を最小限にでき、幼児用ティーシャツの襟ぐりの距離に対応できて、成人用と幼児用に使用できる。
【００１４】
内管(５)内側に貫通する穴を有するバネ取付け軸留(６)を形成して、外管(３)内に設けるバネ取付け軸(８)の一端には先割れフック(９)が形成され他端はスプリング軸ベース(１０)形状に成っていて、丸く成った外管(３)端の外管(３)内にスプリング軸ベース(１０)を装着して、バネ取付け軸(８)にバネ(１１)を装着し、先割れフック(９)をバネ取付け軸留(８)に形成された穴を貫通させ、先割れフック(９)に留ワッシャー(１２)を装着していることにおいて、内管(５)の右肩(７)の分部を内側に寄せた後、外管(３)から内管(５)を引き出すことなしに左肩(４)部分と右肩(７)の分部の距離を広げることができる。
【００１５】
外管(３)と内管(５)の幅を縮め、縮めた状態を保持する機能として、内管(５)に２本の切り込み(１４)を設け、２本の切り込み(１４)間に内管フック(１５)と内管フック解除ボタン(１６)を形成して、外管(３)に内管フックホール(１７)を設けることにおいて、内管(５)の右肩(７)の分部を内側に寄せて内管フックホール(１７)に内管フック(１５)を係止できて、内管フック解除ボタン(１６)を押すことにより左肩(４)部分と右肩(７)の分部の距離を広げることができる。
【図面の簡単な説明】
【００１６】
【図１】衣服用ハンガー(１)の正面図。
【図２】衣服用ハンガー(１)の背面図。
【図３】衣服用ハンガー(１)の右側面図。
【図４】衣服用ハンガー(１)の左側面図。
【図５】衣服用ハンガー(１)の平面図、A−A切断線を示す。
【図６】衣服用ハンガー(１)の底面図。
【図７】内管(５)の右肩(７)の分部を内側に寄せた正面図。
【図８】図５のA−A線切断端面図。
【発明を実施するための形態】
【００１７】
以下図面に基づき説明する。
【００１８】
衣服用ハンガー(１)において、衣服用ハンガー(１)中央のフック(２)から一方に伸びる外管(３)を左肩(４)の位置まで伸ばし、外管(３)端は丸く成っていて、フック(２)から他方に伸びる外管(３)は、外管(３)内に出し入れ自在に装着する内管(５)が左右移動するために必要最小限の距離にする。
【００１９】
内管(５)内側に貫通する穴を有するバネ取付け軸留(６)を形成して、内管(５)の一端は丸い右肩(７)形状を成していて、外管(３)内設けるバネ取付け軸(８)の一端には先割れフック(９)が形成され他端はスプリング軸ベース(１０)形状に成っていて、丸く成った外管(３)端の外管(３)内にスプリング軸ベース(１０)を装着して、バネ取付け軸(８)にバネ(１１)を装着して先割れフック(９)をバネ取付け軸留(６)に形成された穴を貫通させ、先割れフック(９)に留ワッシャー(１２)を装着して、外管(３)下部に外管下カバー(１３)を設ける。
【００２０】
内管(３)に２本の切り込み(１４)を設け、２本の切り込み(１４)間に内管フック(１５)と内管フック解除ボタン(１６)を形成して、外管(３)に内管フック(１５)を係止するための内管フックホール(１７)を設ける。
【００２１】
衣服用ハンガー(１)の使用方法は、外管(３)の左肩(４)の部分と内管(５)の右肩(７)の分部を内側に押す、と共に、内管(５)は外管(３)内側に挿入されバネ(１１)は縮んで、外管(３)に形成された内管フックホール(１７)に内管フック(１５)が係止して、ティーシャツの襟ぐりから外管(３)の左肩(４)部分をティーシャツの肩の部分迄入れ、内管(５)の右肩(７)の分部をティーシャツの襟ぐりに入れて、内管フック解除ボタン(１６)を押すと、共に、バネ(１１)により外管(３)と内管(５)が開いて使用可能状態になる。
【産業上の利用可能性】
【００２２】
シンプルで使い勝手が良く、安価に製造できる。
【符号の説明】
【００２３】
１  衣服用ハンガー
２  フック
３  外管
４  左肩
５  内管
６  バネ取付け軸留
７  右肩
８  バネ取付け軸
９  先割れフック
１０  スプリング軸ベース
１１  バネ
１２  留ワッシャー
１３  外管下カバー
１４  切り込み
１５  内管フック
１６  内管フック解除ボタン
１７  内管フックホール
【図１】
2016013211.tif 000003
【図２】
2016013211.tif 000004
【図３】
2016013211.tif 000005
【図４】
2016013211.tif 000006
【図５】
2016013211.tif 000007
【図６】
2016013211.tif 000008
【図７】
2016013211.tif 000009
【図８】
2016013211.tif 000010